(57)【要約】【課題】ユーザがＩＰ網または公衆電話網の選択を意識することなく適切な網から発呼でき、通信コストの増大並びに通信エラーを回避できるようにする。【解決手段】システム制御部１８において、発呼先指定情報解析部１８１は、発呼時に入力される相手通信端末装置の宛先番号を解析する。発呼網判別部１８３は、発呼先指定情報解析部１８１での宛先番号の解析結果から、該解析された宛先情報を用いて選択網設定情報記憶部１８５に記憶される選択網設定情報を参照してこの時の発呼をＩＰ網に対して行うか公衆網に対して行うかを自動的に判別する。選択網設定情報記憶部１８５には、発呼網判別部１８３において、発呼をＩＰ網に対して行うか公衆網に対して行うかを自動的に判別するために必要な選択網設定情報を記憶する。【選択図】　図３
2004112515.tif 000002
【特許請求の範囲】
【請求項１】
ＩＰ網および公衆電話網に接続される通信端末装置において、
発呼先を指定する発呼先指定情報を入力する発呼先指定情報入力手段と、
前記発呼先指定情報入力手段で入力した発呼先指定情報を解析する発呼先指定情報解析手段と、
前記ＩＰ網に接続するための第１の回線接続手段と、
前記公衆電話網に接続するための第２の回線接続手段と、
前記発呼先指定情報に応じて前記ＩＰ網に対して発呼するか前記公衆電話網に対して発呼するかを予め記憶する記憶手段と、
前記発呼先指定情報入力手段による発呼先指定情報を入力した発呼に際して前記発呼先指定情報解析手段により解析した発呼先指定情報を用いて前記記憶手段の記憶を参照して該発呼を前記ＩＰ網に対して行うか前記公衆電話網に対して行うかを自動判別する判別手段と
を具備することを特徴とする通信端末装置。
【請求項２】
前記記憶手段は、
前記発呼先指定情報がＩＰ網に接続される端末であることを示す特定情報を含む場合は、該発呼先指定情報に対応して前記ＩＰ網に対して発呼すると記憶する
ことを特徴とする請求項１記載の通信端末装置。
【請求項３】
前記記憶手段は、
前記発呼先指定情報が市内通話を指示する市内指定情報を含む場合は、該発呼先指定情報に対応して前記ＩＰ網に対して発呼するか前記公衆電話網に対して発呼するかを予め記憶する
ことを特徴とする請求項１記載の通信端末装置。
【請求項４】
前記記憶手段は、
前記発呼先指定情報が市外通話を指示する市外指定情報を含む場合は、該発呼先指定情報に対応して前記ＩＰ網に対して発呼するか前記公衆電話網に対して発呼するかを予め記憶する
ことを特徴とする請求項１記載の通信端末装置。
【請求項５】
前記記憶手段は、
前記発呼先指定情報が市内通話を指示する市内指定情報を含む場合は、該発呼先指定情報に対応して前記公衆電話網に対して発呼すると記憶する
ことを特徴とする請求項１記載の通信端末装置。
【請求項６】
前記記憶手段は、
前記発呼先指定情報が市外通話を指示する市外指定情報を含む場合は、該発呼先指定情報に対応して前記ＩＰ網に対して発呼すると記憶する
ことを特徴とする請求項１記載の通信端末装置。
【請求項７】
前記記憶手段は、
前記発呼先指定情報が海外通話を指示する海外指定情報を含む場合は、該発呼先指定情報に対応して前記ＩＰ網に対して発呼するか前記公衆電話網に対して発呼するかを予め記憶する
ことを特徴とする請求項１記載の通信端末装置。
【請求項８】
前記記憶手段は、
前記発呼先指定情報が海外通話を指示し、かつ国指定情報を含む場合は、該国指定情報に対応して前記ＩＰ網に対して発呼するか前記公衆電話網に対して発呼するかを予め記憶する
ことを特徴とする請求項１記載の通信端末装置。
【請求項９】
ＩＰ網および構内交換機に接続される通信端末装置において、
発呼先を指定する発呼先指定情報を入力する発呼先指定情報入力手段と、
前記発呼先指定情報入力手段で入力した発呼先指定情報を解析する発呼先指定情報解析手段と、
前記ＩＰ網に接続するための第１の回線接続手段と、
前記構内交換機に接続するための第２の回線接続手段と、
前記発呼先指定情報に応じて前記ＩＰ網に対して発呼するか前記構内交換機に対して発呼するかを予め記憶する記憶手段と、
前記発呼先指定情報入力手段による発呼先指定情報を入力した発呼に際して前記発呼先指定情報解析手段により解析した発呼先指定情報を用いて前記記憶手段の記憶を参照して該発呼を前記ＩＰ網に対して行うか前記構内交換機に対して行うかを自動判別する判別手段と
を具備することを特徴とする通信端末装置。
【請求項１０】
前記記憶手段は、
前記発呼先指定情報が内線を経由した外線への発呼を指示する特定情報を含む場合は、該発呼先指定情報に対応して前記ＩＰ網に対して発呼すると記憶する
ことを特徴とする請求項９記載の通信端末装置。
【請求項１１】
前記第１の回線接続手段は、
前記発呼先指定情報から前記構内交換機経由で外線に接続するためのプレフィクス情報を自動的に除去して前記ＩＰ網に対する接続を行う
ことを特徴とする請求項９記載の通信端末装置。
【請求項１２】
ＩＰ網および公衆電話網に接続され、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記公衆電話網に接続するための第２の回線接続手段とを有する通信端末装置の制御方法において、
前記発呼先指定情報に応じて前記ＩＰ網に対して発呼するか前記公衆電話網に対して発呼するかを予め記憶し、
前記発呼先指定情報入力手段による発呼先指定情報を入力した発呼に際して前記発呼先指定情報解析手段により解析した発呼先指定情報を用いて前記記憶を参照して該発呼を前記ＩＰに網に対して行うか前記公衆電話網に対して行うかを自動判別する
ことを特徴とする通信端末装置の制御方法。
【請求項１３】
前記発呼先指定情報がＩＰ網に接続される端末であることを示す特定情報を含む場合は、該発呼先指定情報に対応して前記ＩＰ網に対して発呼する
ことを特徴とする請求項１２載の通信端末装置の制御方法。
【請求項１４】
前記発呼先指定情報が市内通話を指示する市内指定情報を含む場合は、該発呼先指定情報に対応して前記ＩＰ網に対して発呼するか前記公衆電話網に対して発呼するかを予め記憶し、
該記憶を参照して該発呼を前記ＩＰ網に対して行うか前記公衆電話網に対して行うかを自動判別する
ことを特徴とする請求項１２載の通信端末装置の制御方法。
【請求項１５】
前記発呼先指定情報が市外通話を指示する市外指定情報を含む場合は、該発呼先指定情報に対応して前記ＩＰ網に対して発呼するか前記公衆電話網に対して発呼するかを予め記憶し、
該記憶を参照して該発呼を前記ＩＰ網に対して行うか前記公衆電話網に対して行うかを自動判別する
ことを特徴とする請求項１２載の通信端末装置の制御方法。
【請求項１６】
前記発呼先指定情報が市内通話を指示する市内指定情報を含む場合は、該発呼先指定情報に対応して前記公衆電話網に対して発呼する
ことを特徴とする請求項１２載の通信端末装置の制御方法。
【請求項１７】
前記発呼先指定情報が市外通話を指示する市外指定情報を含む場合は、該発呼先指定情報に対応して前記ＩＰ網に対して発呼すると記憶する
ことを特徴とする請求項１２載の通信端末装置の制御方法。
【請求項１８】
前記発呼先指定情報が海外通話を指示する海外指定情報を含む場合は、該発呼先指定情報に対応して前記ＩＰ網に対して発呼するか前記公衆電話網に対して発呼するかを予め記憶し、
該記憶を参照して該発呼を前記ＩＰ網に対して行うか前記公衆電話網に対して行うかを自動判別する
ことを特徴とする請求項１２載の通信端末装置の制御方法。
【請求項１９】
前記発呼先指定情報が海外通話を指示し、かつ国指定情報を含む場合は、該国指定情報に対応して前記ＩＰ網に対して発呼するか前記公衆電話網に対して発呼するかを予め記憶し、
該記憶を参照して該発呼を前記ＩＰ網に対して行うか前記公衆電話網に対して行うかを自動判別する
ことを特徴とする請求項１２載の通信端末装置の制御方法。
【請求項２０】
ＩＰ網および構内交換機に接続され、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記構内交換機に接続するための第２の回線接続手段とを有する通信端末装置の制御方法において、
前記発呼先指定情報に応じて前記ＩＰ網に対して発呼するか前記構内交換機に対して発呼するかを予め記憶し、
前記発呼先指定情報入力手段による発呼先指定情報を入力した発呼に際して前記発呼先指定情報解析手段により解析した発呼先指定情報を用いて前記記憶を参照して該発呼を前記ＩＰ網に対して行うか前記構内交換機に対して行うかを自動判別する
を具備することを特徴とする通信端末装置の制御方法。
【請求項２１】
前記発呼先指定情報が内線を経由した外線への発呼を指示する特定情報を含む場合は、該発呼先指定情報に対応して前記ＩＰ網に対して発呼する
ことを特徴とする請求項２０記載の通信端末装置の制御方法。
【請求項２２】
前記第１の回線接続手段は、
前記発呼先指定情報から前記構内交換機経由で外線に接続するためのプレフィクス情報を自動的に除去して前記ＩＰ網に対する接続を行う
ことを特徴とする請求項２０記載の通信端末装置の制御方法。
【請求項２３】
ＩＰ網および公衆電話網に接続される通信端末装置において、
発呼先を指定する電話番号情報を入力する電話番号情報入力手段と、
前記ＩＰ網に接続するための第１の回線接続手段と、
前記公衆電話網に接続するための第２の回線接続手段と、
前記電話番号情報入力手段による電話番号情報を入力した発呼に際して、前記電話番号情報の先頭が０５０の場合は該発呼を前記ＩＰ網に対して発呼する発呼制御手段と
を具備することを特徴とする通信端末装置。
【請求項２４】
ＩＰ網および公衆電話網に接続され、発呼先を指定する電話番号情報を入力する電話番号情報入力手段と、前記ＩＰ網に接続するための第１の回線接続手段と、前記公衆電話網に接続するための第２の回線接続手段とを有する通信端末装置の制御方法において、
前記電話番号情報入力手段による電話番号情報を入力した発呼に際して、前記電話番号情報の先頭が０５０の場合は該発呼を前記ＩＰ網に対して発呼する
ことを特徴とする通信端末装置の制御方法。
【発明の詳細な説明】
【０００１】
【発明の属する技術分野】
本発明は、ＩＰ網および公衆電話網に接続される通信端末装置及びその制御方法に係わり、詳しくは、発呼時に入力された発呼先指定情報に応じてＩＰ網または公衆電話網のいずれかに発呼するかを自動的に判別する機能を有する通信端末装置及びその制御方法に関する。
【０００２】
【従来の技術】
例えば、ファクシミリ装置において、ＩＰ網及び公衆電話網の両方に接続されるものがある。この種の従来のファクシミリ装置では、文書を送信しようとして発呼する際、公衆網から発呼する「ＦＡＸ」か、ＩＰ網から発呼する「ｉＦＡＸ」かをユーザが選択している。
【０００３】
このように、ユーザが網を選択して発呼する方式の場合、ＩＰ網にて発呼可能な相手か否か、あるいは公衆網に発呼した方が通信費が安い相手か等を全ユーザが把握することが必須である。
【０００４】
しかしながら、現実的には、ＩＰ網にて発呼可能な相手かどうかや、公衆網に発呼した方が通信費が安いかどうかといったことを全ユーザが把握することは非常に困難なことである。
【０００５】
このため、例えば、ＩＰ網から発呼可能であるのに、公衆網から発呼して無駄な通信コストがかかることが起こり得る。
【０００６】
また、ＩＰ網から発呼不可能であるのに、ＩＰ網から発呼しようとして通信エラーが発生してしまうことになる。この場合、予め定めたリダイヤル間隔毎に、予め定めたリダイヤル回数だけ、同じ網から再発呼を繰り返すことなるが、相手先がビジーである場合等と違って、本来、発呼できない網への発呼であるため、いつまでも通信が行なえないことになった。
【０００７】
【発明が解決しようとする課題】
上述したように、ＩＰ網及び公衆電話網に接続される従来のファクシミリ装置では、ユーザがＩＰ網または公衆電話網のいずれか一方を選択して発呼するが、ユーザがＩＰ網から発呼できる相手なのかどうかや、公衆網から発呼した方が通信コストが安い相手なのかどうかを全てのユーザが把握することは困難であった。
【０００８】
このため、例えば、ＩＰ網から発呼可能であるのに、公衆網から発呼してしまったり、あるいはＩＰ網から発呼不可能であるのに、ＩＰ網から発呼してしまう等、発呼時に不適切な網が選択されることを避けられず、前者の場合には無駄な通信コストがかかってしまい、後者の場合には通信エラーが発生し、通信できない事態に陥るという問題点があった。
【０００９】
本発明は上記問題点を解消し、ユーザがＩＰ網または公衆電話網の選択を意識することなく適切な網から発呼でき、通信コストの増大並びに通信エラーを回避できる通信端末装置及びその制御方法を提供することを目的とする。
【００１０】
【課題を解決するための手段】
上記目的を達成するために、請求項１記載の発明は、ＩＰ網および公衆電話網に接続される通信端末装置において、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記公衆電話網に接続するための第２の回線接続手段と、前記発呼先指定情報に応じて前記ＩＰ網に対して発呼するか前記公衆電話網に対して発呼するかを予め記憶する記憶手段と、前記発呼先指定情報入力手段による発呼先指定情報を入力した発呼に際して前記発呼先指定情報解析手段により解析した発呼先指定情報を用いて前記記憶手段の記憶を参照して該発呼を前記ＩＰ網に対して行うか前記公衆電話網に対して行うかを自動判別する判別手段とを具備することを特徴とする。
【００１１】
請求項２記載の発明は、上記請求項１記載の発明において、前記記憶手段は、前記発呼先指定情報がＩＰ網に接続される端末であることを示す特定情報を含む場合は、該発呼先指定情報に対応して前記ＩＰ網に対して発呼すると記憶することを特徴とする。
【００１２】
請求項３記載の発明は、上記請求項１記載の発明において、前記記憶手段は、前記発呼先指定情報が市内通話を指示する市内指定情報を含む場合は、該発呼先指定情報に対応して前記ＩＰ網に対して発呼するか前記公衆電話網に対して発呼するかを予め記憶することを特徴とする。
【００１３】
請求項４記載の発明は、上記請求項１記載の発明において、前記記憶手段は、前記発呼先指定情報が市外通話を指示する市外指定情報を含む場合は、該発呼先指定情報に対応して前記ＩＰ網に対して発呼するか前記公衆電話網に対して発呼するかを予め記憶することを特徴とする。
【００１４】
請求項５記載の発明は、上記請求項１記載の発明において、前記記憶手段は、前記発呼先指定情報が市内通話を指示する市内指定情報を含む場合は、該発呼先指定情報に対応して前記公衆電話網に対して発呼すると記憶することを特徴とする。
【００１５】
請求項６記載の発明は、上記請求項１記載の発明において、前記記憶手段は、前記発呼先指定情報が市外通話を指示する市外指定情報を含む場合は、該発呼先指定情報に対応して前記ＩＰ網に対して発呼すると記憶することを特徴とする。
【００１６】
請求項７記載の発明は、上記請求項１記載の発明において、前記記憶手段は、前記発呼先指定情報が海外通話を指示する海外指定情報を含む場合は、該発呼先指定情報に対応して前記ＩＰ網に対して発呼するか前記公衆電話網に対して発呼するかを予め記憶することを特徴とする。
【００１７】
請求項８記載の発明は、上記請求項１記載の発明において、前記記憶手段は、前記発呼先指定情報が海外通話を指示し、かつ国指定情報を含む場合は、該国指定情報に対応して前記ＩＰ網に対して発呼するか前記公衆電話網に対して発呼するかを予め記憶することを特徴とする。
【００１８】
請求項９記載の発明は、ＩＰ網および構内交換機に接続される通信端末装置において、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記構内交換機に接続するための第２の回線接続手段と、前記発呼先指定情報に応じて前記ＩＰ網に対して発呼するか前記構内交換機に対して発呼するかを予め記憶する記憶手段と、前記発呼先指定情報入力手段による発呼先指定情報を入力した発呼に際して前記発呼先指定情報解析手段により解析した発呼先指定情報を用いて前記記憶手段の記憶を参照して該発呼を前記ＩＰ網に対して行うか前記構内交換機に対して行うかを自動判別する判別手段とを具備することを特徴とする。
【００１９】
請求項１０記載の発明は、上記請求項９記載の発明において、前記記憶手段は、前記発呼先指定情報が内線を経由した外線への発呼を指示する特定情報を含む場合は、該発呼先指定情報に対応して前記ＩＰ網に対して発呼すると記憶することを特徴とする。
【００２０】
請求項１１記載の発明は、上記請求項９記載の発明において、前記第１の回線接続手段は、前記発呼先指定情報から前記構内交換機経由で外線に接続するためのプレフィクス情報を自動的に除去して前記ＩＰ網に対する接続を行うことを特徴とする。
【００２１】
請求項１２記載の発明は、ＩＰ網および公衆電話網に接続され、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記公衆電話網に接続するための第２の回線接続手段とを有する通信端末装置の制御方法において、前記発呼先指定情報に応じて前記ＩＰ網に対して発呼するか前記公衆電話網に対して発呼するかを予め記憶し、前記発呼先指定情報入力手段による発呼先指定情報を入力した発呼に際して前記発呼先指定情報解析手段により解析した発呼先指定情報を用いて前記記憶を参照して該発呼を前記ＩＰに網に対して行うか前記公衆電話網に対して行うかを自動判別することを特徴とする。
【００２２】
請求項１３記載の発明は、上記請求項１２記載の発明において、前記発呼先指定情報がＩＰ網に接続される端末であることを示す特定情報を含む場合は、該発呼先指定情報に対応して前記ＩＰ網に対して発呼することを特徴とする。
【００２３】
請求項１４記載の発明は、上記請求項１２記載の発明において、前記発呼先指定情報が市内通話を指示する市内指定情報を含む場合は、該発呼先指定情報に対応して前記ＩＰ網に対して発呼するか前記公衆電話網に対して発呼するかを予め記憶し、該記憶を参照して該発呼を前記ＩＰ網に対して行うか前記公衆電話網に対して行うかを自動判別することを特徴とする。
【００２４】
請求項１５記載の発明は、上記請求項１２記載の発明において、前記発呼先指定情報が市外通話を指示する市外指定情報を含む場合は、該発呼先指定情報に対応して前記ＩＰ網に対して発呼するか前記公衆電話網に対して発呼するかを予め記憶し、該記憶を参照して該発呼を前記ＩＰ網に対して行うか前記公衆電話網に対して行うかを自動判別することを特徴とする。
【００２５】
請求項１６記載の発明は、上記請求項１２記載の発明において、前記発呼先指定情報が市内通話を指示する市内指定情報を含む場合は、該発呼先指定情報に対応して前記公衆電話網に対して発呼することを特徴とする。
【００２６】
請求項１７記載の発明は、上記請求項１２記載の発明において、前記発呼先指定情報が市外通話を指示する市外指定情報を含む場合は、該発呼先指定情報に対応して前記ＩＰ網に対して発呼すると記憶することを特徴とする。
【００２７】
請求項１８記載の発明は、上記請求項１２記載の発明において、前記発呼先指定情報が海外通話を指示する海外指定情報を含む場合は、該発呼先指定情報に対応して前記ＩＰ網に対して発呼するか前記公衆電話網に対して発呼するかを予め記憶し、該記憶を参照して該発呼を前記ＩＰ網に対して行うか前記公衆電話網に対して行うかを自動判別することを特徴とする。
【００２８】
請求項１９記載の発明は、上記請求項１２記載の発明において、前記発呼先指定情報が海外通話を指示し、かつ国指定情報を含む場合は、該国指定情報に対応して前記ＩＰ網に対して発呼するか前記公衆電話網に対して発呼するかを予め記憶し、該記憶を参照して該発呼を前記ＩＰ網に対して行うか前記公衆電話網に対して行うかを自動判別することを特徴とする。
【００２９】
請求項２０記載の発明は、ＩＰ網および構内交換機に接続され、発呼先を指定する発呼先指定情報を入力する発呼先指定情報入力手段と、前記発呼先指定情報入力手段で入力した発呼先指定情報を解析する発呼先指定情報解析手段と、前記ＩＰ網に接続するための第１の回線接続手段と、前記構内交換機に接続するための第２の回線接続手段とを有する通信端末装置の制御方法において、前記発呼先指定情報に応じて前記ＩＰ網に対して発呼するか前記構内交換機に対して発呼するかを予め記憶し、前記発呼先指定情報入力手段による発呼先指定情報を入力した発呼に際して前記発呼先指定情報解析手段により解析した発呼先指定情報を用いて前記記憶を参照して該発呼を前記ＩＰ網に対して行うか前記構内交換機に対して行うかを自動判別するを具備することを特徴とする。
【００３０】
請求項２１記載の発明は、上記請求項２０記載の発明において、前記発呼先指定情報が内線を経由した外線への発呼を指示する特定情報を含む場合は、該発呼先指定情報に対応して前記ＩＰ網に対して発呼することを特徴とする。
【００３１】
請求項２２記載の発明は、上記請求項２０記載の発明において、前記第１の回線接続手段は、前記発呼先指定情報から前記構内交換機経由で外線に接続するためのプレフィクス情報を自動的に除去して前記ＩＰ網に対する接続を行うことを特徴とする。
【００３２】
請求項２３記載の発明は、ＩＰ網および公衆電話網に接続される通信端末装置において、発呼先を指定する電話番号情報を入力する電話番号情報入力手段と、前記ＩＰ網に接続するための第１の回線接続手段と、前記公衆電話網に接続するための第２の回線接続手段と、前記電話番号情報入力手段による電話番号情報を入力した発呼に際して、前記電話番号情報の先頭が０５０の場合は該発呼を前記ＩＰ網に対して発呼する発呼制御手段とを具備することを特徴とする。
【００３３】
請求項２４記載の発明は、ＩＰ網および公衆電話網に接続され、発呼先を指定する電話番号情報を入力する電話番号情報入力手段と、前記ＩＰ網に接続するための第１の回線接続手段と、前記公衆電話網に接続するための第２の回線接続手段とを有する通信端末装置の制御方法において、前記電話番号情報入力手段による電話番号情報を入力した発呼に際して、前記電話番号情報の先頭が０５０の場合は該発呼を前記ＩＰ網に対して発呼することを特徴とする。
【００３４】
【発明の実施の形態】
以下、本発明の実施形態について添付図面を参照して詳細に説明する。
【００３５】
図１は、本発明に係る通信端末装置のシステム構成を示すブロック図である。
【００３６】
この通信端末装置１０は、装置全体の制御処理を行なう中央処理装置（ＣＰＵ）１１、タッチパネル等で構成され、使用者がこの装置を動作させるための各種操作（発呼操作等）を行なったり、各種情報を表示するための操作／表示部１２、送信原稿やコピー原稿を読み取る読取部１３、受信した画像データや読取った画像データを記録紙に記録して出力する記録部１４、画像データに対する符号化、復号化、拡大、縮小等の処理を行う画像処理部１５、受信した画像データあるいは読み取った画像データを格納する画像蓄積部１６、制御プログラムが使用するワークエリア（装置の動作を制御するシステムデータや各種情報を記憶する）となるＲＡＭ１７、ファクシミリ全体を制御するプログラム（ＲＯＭ）を有するシステム制御部１８、ＩＴＵ−Ｔ勧告Ｔ．３７手順に従ってＳｔｏｒｅ＆Ｆｏｒｗａｒｄ型通信プロトコルを制御するＴ．３７伝送制御部１９、ＩＴＵ−Ｔ勧告Ｔ．３８手順に従ってリアルタイム型通信プロトコルを制御するＴ．３８伝送制御部２０、ＩＰ（Ｉｎｔｅｒｎｅｔ　Ｐｒｏｔｏｃｏｌ）網４０に接続され、インターネットを開始して種々のデータを送受する通信制御を行うＩＰ網制御部２１、ＩＰ網制御部２１内に設けられ、ＩＥＴＦ（Ｉｎｔｅｒｎｅｔ　Ｅｎｇｉｎｅｅｒｉｎｇ　Ｔａｓｋ　Ｆｏｒｃｅ）のＲＦＣ３２６１（ＳＩＰ：Ｓｅｓｓｉｏｎ　Ｉｎｉｔｉａｔｉｏｎ　Ｐｒｏｔｏｃｏｌ）及びＲＦＣ２３２７（ＳＤＰ：Ｓｅｓｓｉｏｎ　Ｄｅｓｃｒｉｐｔｉｏｎ　Ｐｒｏｔｏｃｏｌ）に規定された手順を使用してリアルタイム型インターネットＦＡＸ　Ｔ３８における呼の確立、維持あるいは終了の制御を行なうＳＩＰ呼制御部２２、ＩＴＵ−Ｔ勧告Ｔ．３０手順に従ってファクシミリプロトコルを制御するＧ３ＦＡＸ伝送制御部２３、Ｇ３ＦＡＸ伝送制御部２３の伝送制御の下でアナログ公衆回線網にて呼の確立、網接続の制御を行なうＰＳＴＮ呼／網制御部２４、Ｇ４ファクシミリプロトコルを制御するＧ４ＦＡＸ伝送制御部２５、Ｇ４ＦＡＸ伝送制御部２５の伝送制御の下でデジタル公衆回線網にて呼の確立、網接続の制御を行なうＩＳＤＮ呼／網制御部２６、上述した装置各部の間で相互にデータのやり取りするシステムバス２７を備えて構成される。
【００３７】
この通信端末装置１０は、ＩＰ網制御部２１によりＩＰ網４０に接続され、該ＩＰ網４０を介して相手通信端末装置と通信を行なうことができると共に、ＰＳＴＮ呼／網制御部２４またはＩＳＤＮ呼／網制御部２６により公衆電話網（以下、公衆網と略称する）５０に接続され、該公衆網５０（ＰＳＴＮ網またはＩＳＤＮ網）を介して相手通信端末装置と通信を行なうことができる。
【００３８】
図２は、本発明に係わる通信端末装置１０が接続されるネットワークの構成図である。
【００３９】
図２において、通信端末装置１０−１，１０−２，１０−３，１０−４，１０−５は、それぞれ、図１に示した通信端末装置１０を用いたものである。
【００４０】
ここで、通信端末装置１０−１はＩＰ網４０と公衆網５０に接続され、通信端末装置１０−２はＩＰ網４０のみに接続される。
【００４１】
また、通信端末装置１０−３は、公衆網５０のみに接続される。また、通信端末装置１０−４はＩＰ網４０と内線網（ＰＢＸ）７０に接続され、通信端末装置１０−５は内線網（ＰＢＸ）７０のみに接続される。
【００４２】
この接続環境下において、例えば、通信端末装置１０−１は、ＩＰ網４０を介して通信端末装置１０−２と通信したり、公衆網５０を介して通信端末装置１０−３と通信することができる。
【００４３】
また、通信端末装置１０−１は、ＩＰ網４０と公衆網５０間のＧａｔｅｗａｙサービスを利用することで、ＩＰ網４０から公衆網５０を介して通信端末装置１０−３と通信することもできる。
【００４４】
また、通信端末装置１０−４はＩＰ網４０を介して通信端末装置１０−２と通信することができる他、内線網７０，公衆網５０を介して通信端末装置１０−３と通信したり、あるいは内線網７０を介して通信端末装置１０−５と通信することもできる。
【００４５】
このようなネットワーク環境下で、例えば、通信端末装置１０−１がある相手通信端末装置と通信を開始しようとした場合、この相手通信端末装置がＩＰ網４０から発呼可能な相手なのか、公衆網５０から発呼した方が通信コストが安いのかといったことを全てのユーザが知ることは困難である。
【００４６】
こうしたユーザの負担を緩和すべく、本発明に係わる通信端末装置１０では、発呼に際して、そのユーザが、操作／表示部１２のキー操作により、相手通信端末装置の宛先番号（発呼先指定情報）を入力し、送信スタート指示操作（送信開始ボタン押下）を行なうのみで、その入力された宛先番号から装置側で適切な網を選択して発呼できるような制御機能を備えている。
【００４７】
この制御機能は、例えば、通信端末装置１０のシステム制御部１８に持たせることができる。
【００４８】
図３は、本発明に係わる通信端末装置１０のシステム制御部１８の機能構成を示すブロック図である。
【００４９】
図３に示すように、システム制御部１８は、発呼先指定情報解析部１８１、発呼網判別部１８３及び選択網設定情報記憶部１８５を具備する。
【００５０】
発呼先指定情報解析部１８３は、発呼時に、操作／表示部１２から入力される相手通信端末装置の宛先番号を解析する。
【００５１】
発呼網判別部１８３は、発呼先指定情報解析部１８１での宛先番号の解析結果から、該解析された宛先情報を用いて選択網設定情報記憶部１８５に記憶される選択網設定情報を参照してこの時の発呼をＩＰ網４０に対して行うか公衆網５０に対して行うかを自動的に判別する。
【００５２】
選択網設定情報記憶部１８５は、発呼網判別部１８３において、発呼をＩＰ網４０に対して行うか公衆網５０に対して行うかを自動的に判別するために必要な選択網設定情報を記憶する。
【００５３】
図４は、選択網設定情報記憶部１８５に記憶する選択網設定情報の設定例を示す図である。
【００５４】
図４（ａ）では、発呼先指定情報がＩＰ網４０に接続される端末であることを示す特定情報を含む場合は、該発呼先指定情報に対応してＩＰ網４０に発呼することを示す選択網設定情報が記憶されている。
【００５５】
ここで、ＩＰ網４０に接続される端末であることを示す特定情報とは、例えば、発呼先指定情報中の先頭の３桁を構成する“０５０”という情報である。
【００５６】
図４（ｂ）では、発呼先指定情報が市内通話を指示する市内指定情報を含む場合は、該発呼先指定情報に対応してＩＰ網４０に対して発呼するか公衆網５０に対して発呼するかを示す選択網設定情報が記憶されている。
【００５７】
ここで、市内通話を指示する市内指定情報とは、発呼先指定情報中の先頭の３桁を構成する“＊ＸＸ”という情報（但し、＊は“０”以外の数字、Ｘは任意の数字）である。
【００５８】
図４（ｃ）では、発呼先指定情報が市内通話を指示する市内指定情報を含む場合は、該発呼先指定情報に対応して公衆網５０に対して発呼することを示す選択網設定情報が記憶されている。
【００５９】
ここで、市内通話を指示する市内指定情報とは、発呼先指定情報中の先頭の３桁を構成する“＊ＸＸ”という情報（但し、＊は“０”以外の数字、Ｘは任意の数字）である。
【００６０】
図４（ｄ）では、発呼先指定情報が市外通話を指示する市外指定情報を含む場合は、該発呼先指定情報に対応してＩＰ網４０に対して発呼するか公衆網５０に対して発呼するかを示す選択網設定情報が記憶されている。
【００６１】
ここで、市外通話を指示する市外指定情報とは、発呼先指定情報中の先頭の３桁を構成する“０＊＊”という情報（但し、＊は“０”以外の数字）である。
【００６２】
図４（ｅ）では、発呼先指定情報が市外通話を指示する市外指定情報を含む場合は、該発呼先指定情報に対応してＩＰ網４０に対して発呼することを示す選択網設定情報が記憶されている。
【００６３】
ここで、市外通話を指示する市外指定情報とは、発呼先指定情報中の先頭の３桁を構成する“０＊＊”という情報（但し、＊は“０”以外の数字）である。
【００６４】
図４（ｆ）では、発呼先指定情報が海外通話を指示する海外指定情報を含む場合は、該発呼先指定情報に対応してＩＰ網４０に対して発呼するか公衆網５０に対して発呼するかを示す選択網設定情報が記憶されている。
【００６５】
ここで、海外通話を指示する海外指定情報とは、発呼先指定情報中の先頭の４桁を構成する“００ＸＸ”という情報（但し、Ｘは任意の数字）である。
【００６６】
図４（ｇ）では、発呼先指定情報が海外通話を指示し、かつ国指定情報を含む場合は、該国指定情報に対応してＩＰ網４０に対して発呼するか公衆網５０に対して発呼するかを示す選択網設定情報が記憶されている。ここで、国指定情報とは、例えば、１＝米国，７＝ロシア，…といった番号である。
【００６７】
図４（ｈ）では、発呼先指定情報が内線を経由した外線への発呼を指示する内線指定情報を含む場合はＩＰ網に対して発呼することを示し、それ以外の場合は内線網（ＰＢＸ）に対して発呼することを示す選択網設定情報が記憶されている。ここで、内線指定情報とは、発呼側において、ＰＢＸ経由で外線（公衆網）に接続する際に入力するプレフィックス番号（この例では、“０”）である。
【００６８】
上述した各種の選択網設定情報は、マシン管理者、カスタマーエンジニアなどの手によって予め選択網設定情報記憶部１８５に記憶しておく。
【００６９】
次に、図３に示す構成を有するシステム制御部１８における発呼時の発呼網判別制御について説明する。
【００７０】
図５は、システム制御部１８における発呼網判別制御動作を示すフローチャートである。
【００７１】
まず、この通信端末装置１０では、相手端末装置に発呼する際の発呼操作として、ユーザは、操作／表示部１２のテンキー等（短縮ダイヤルであっても良い）を用いて相手通信端末装置のダイヤル番号を入力し、次いでスタートボタン（送信開始ボタン）を押下する。
【００７２】
一方、システム制御部１８は、当該通信端末装置１０が待機状態にある時、操作／表示部１２での上述した発呼操作により送信開始指示があったかどうかを監視している（ステップＳ５０１）。
【００７３】
ここで、送信開始指示があった場合（ステップＳ５０１ＹＥＳ）、上記送信開始指示に伴って入力されるダイヤル番号（発呼先指定情報）を取り込み（ステップＳ５０２）、発呼先指定情報解析部１８１に渡す。
【００７４】
発呼先指定情報解析部１８１では、取り込まれたダイヤル番号を解析する（ステップＳ５０３）。この解析によって、例えば、入力されたダイヤル番号が、ＩＰ網４０に対する発呼を指示する特定情報を含むか、市内通話を指示する市内指定情報を含むか、市外通話を指示する市外指定情報を含むか、海外通話を指示する海外指定情報を含むか、海外通話を指示し、かつ国指定情報を含むか、内線通話を指示する内線指定情報を含むか等の解析結果を見出す。
【００７５】
次いで、発呼網判別部１８３は、上記解析結果を基に選択網設定情報記憶部１８５に記憶された選択網設定情報（図４参照）を参照し、当該発呼をＩＰ網４０に対して行うか、あるいは公衆網５０に対して行うかを自動判別する（ステップＳ５０４）。
【００７６】
ここで、発呼網判別部１８３は、発呼先指定情報がＩＰ網４０に接続される端末であることを示す特定情報を含む場合は、例えば、図４（ａ）に示すような選択網設定情報を参照して、該発呼先指定情報に対応してＩＰ網４０に発呼すると判別する。
【００７７】
また、発呼先指定情報が市内通話を指示する市内指定情報を含む場合は、例えば、図４（ｂ）に示すような選択網設定情報に従い、該発呼先指定情報に対応してＩＰ網４０に対して発呼するか公衆網５０に対して発呼するかを判別する。
【００７８】
また、
発呼先指定情報が市内通話を指示する市内指定情報を含む場合は、例えば、図４（ｃ）に示すような選択網設定情報に従い、該発呼先指定情報に対応して公衆網５０に対して発呼すると判別する。
【００７９】
また、発呼先指定情報が市外通話を指示する市外指定情報を含む場合は、例えば、図４（ｄ）に示すような選択網設定情報に従い、該発呼先指定情報に対応してＩＰ網４０に対して発呼するか公衆網５０に対して発呼するかを判別する。
【００８０】
また、発呼先指定情報が市外通話を指示する市外指定情報を含む場合は、例えば、図４（ｅ）に示すような選択網設定情報に従い、該発呼先指定情報に対応してＩＰ網４０に対して発呼すると判別する。
【００８１】
また、発呼先指定情報が海外通話を指示する海外指定情報を含む場合は、例えば、図４（ｆ）に示すような選択網設定情報に従い、該発呼先指定情報に対応してＩＰ網４０に対して発呼するか公衆網５０に対して発呼するかを判別する。
【００８２】
また、発呼先指定情報が海外通話を指示し、かつ国指定情報を含む場合は、例えば、図４（ｇ）に示すような選択網設定情報に従い、該国指定情報に対応してＩＰ網４０に対して発呼するか公衆網５０に対して発呼するかを判別する。
【００８３】
また、図４（ｈ）に示すような選択網設定情報が記憶されている場合であって、発呼先指定情報が内線を経由した外線への発呼を指示する特定情報を含む場合はＩＰ網４０に対して発呼すると判別し、それ以外の場合は内線網内のＰＢＸに対して発呼すると判別する。
【００８４】
その後、システム制御部１８は、発呼網判別部１８３の判別結果に従い、対応する網の網制御部に発呼を指示し（ステップＳ５０５）、該発呼指示を受けた網制御部は該当する網へ発呼を行なう（ステップＳ５０６）。
【００８５】
具体的には、ＩＰ網４０へ発呼すると判別された場合には、ＩＰ網制御部２１に発呼開始を指示し、これにより、ＩＰ網制御部２１はＳＩＰ呼制御部２２を用いてＩＰ網４０に対して発呼する。
【００８６】
また、公衆網５０へ発呼すると判別された場合、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【００８７】
次に、本発明の通信端末装置１０における上述した発呼網判別制御について、具体的実施例を挙げて順次説明する。
【００８８】
第１の実施例：
第１の実施例に係わる通信端末装置１０では、選択網設定情報記憶部１８５内に、少なくとも、例えば、図４（ａ）に示すような網選択設定情報が記憶されている。
【００８９】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の３桁が解析される。
【００９０】
ここで、先頭の３桁が“０５０”で始まる場合、発呼網判別部１８３は、先頭の３桁が“０５０”という条件で、選択網設定情報記憶部１８５内の網選択設定情報〔図４（ａ）参照〕を参照し、ＩＰ網４０に対して発呼すると決定する。
【００９１】
この決定に従い、システム制御部１８からＩＰ網制御部２１に発呼開始を指示し、ＳＩＰ呼制御部２２を用いてＩＰ網４０に対して発呼する。
【００９２】
第２の実施例：
第２の実施例に係わる通信端末装置１０では、選択網設定情報記憶部１８５内に、少なくとも、例えば、図４（ｂ）に示すような網選択設定情報が記憶されている。
【００９３】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の３桁が解析される。
【００９４】
ここで、先頭の１桁が“０”以外の場合、すなわち当該３桁の値が“＊ＸＸ”で市内通話を指示するものである場合、発呼網判別部１８３は、先頭の３桁が“＊ＸＸ”という条件で、選択網設定情報記憶部１８５内の網選択設定情報〔図４（ｂ）参照〕を参照し、当該“＊ＸＸ”に対応してＩＰ網４０に対して発呼するか、公衆網５０に対して発呼するかを決定する。
【００９５】
本実施例において設定された網選択設定情報〔図４（ｂ）参照〕によれば、例えば、“＊ＸＸ＝３２３”の場合には、ＩＰ網４０に発呼すると決定し、“＊ＸＸ＝３４５”の場合には、公衆網５０に発呼すると決定する。
【００９６】
ＩＰ網４０へ発呼すると決定した場合は、システム制御部１８からＩＰ網制御部２１に発呼開始を指示し、ＳＩＰ呼制御部２２を用いてＩＰ網４０に対して発呼する。
【００９７】
また、公衆網５０へ発呼すると決定した場合、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【００９８】
第３の実施例：
第３の実施例に係わる通信端末装置１０では、選択網設定情報記憶部１８５内に、少なくとも、例えば、図４（ｃ）に示すような網選択設定情報が記憶されている。
【００９９】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の３桁が解析される。
【０１００】
ここで、先頭の１桁が“０”以外の場合、すなわち当該３桁の値が“＊ＸＸ”で市内通話を指示するものである場合、発呼網判別部１８３は、先頭の３桁が“＊ＸＸ”という条件で、選択網設定情報記憶部１８５内の網選択設定情報〔図４（ｃ）参照〕を参照し、公衆網５０に対して発呼すると決定する。
【０１０１】
この決定に従い、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【０１０２】
図６は、上記第１〜第３の実施例に係わる通信端末装置１０が接続されるネットワークの構成図である。
【０１０３】
図６において、通信端末装置１０Ａ及び１０Ｂは、それぞれ、ＩＰ網４０及び公衆網５０に接続される。また、通信端末装置１０Ｃは公衆網５０のみに接続される。ＩＰ網４０と公衆網５０との間には、ＩＰ網−公衆網Ｇａｔｅｗａｙサービスが介在する。
【０１０４】
このネットワーク構成において、通信端末装置１０Ａが第１の実施例に係わる通信端末装置１０である時、発呼操作により、先頭の３桁が“０５０”のダイヤル番号（０５０−ＸＸＸＸ−ＸＸＸＸ）が入力された場合、ＩＰ網４０に対して発呼がなされ、該発呼側（通信端末装置１０Ａ）と相手通信端末装置１０Ｂとの間に、公衆網５０を経由した通信ルートＲＴ１１が確立される。
【０１０５】
この場合、発呼側からの接続制御はＳＩＰ信号によりなされ、接続ポートにはＮｅｔ　Ｐｒｉｎｔｅｒが、プロトコルとしてはＴ．３８がそれぞれ用いられる。この通信ルートＲＴ１１で経由する網はＩＰ網４０のみであり、例えば、常時接続の場合には固定料金となり、１通信毎に追加料金は不用である（通信料金はかからない）。
【０１０６】
また、図６において、通信端末装置１０Ｂが第２の実施例に係わる通信端末装置１０である時、発呼操作により、先頭の３桁が“＊ＸＸ”のダイヤル番号が入力され、かつこの時の“＊ＸＸ”に対応してＩＰ網４０に対して発呼がなされた場合（ＩＰ網発呼の市内局番の場合）、該発呼側（通信端末装置１０Ｂ）と相手通信端末装置１０Ｃとの間に、ＩＰ網４０→公衆網Ｇａｔｅｗａｙサービス→公衆網５０を経由した通信ルートＲＴ１２が確立される。
【０１０７】
この場合も、発呼側からの接続制御はＳＩＰ信号によりなされ、接続ポートにはＮｅｔ　Ｐｒｉｎｔｅｒが、プロトコルとしてはＴ．３８がそれぞれ用いられる。この通信ルートＲＴ１２で経由する網はＩＰ網４０→公衆網５０であり、通信料金は市内通話＋αとなる。
【０１０８】
また、図６において、通信端末装置１０Ｂが第２の実施例に係わる通信端末装置１０である時、発呼操作により、先頭の３桁が“＊ＸＸ”のダイヤル番号が入力され、かつこの時の“＊ＸＸ”に対応して公衆網５０に対して発呼がなされた場合（公衆網発呼の市内局番の場合）、該発呼側（通信端末装置１０Ｂ）と相手通信端末装置１０Ｃとの間に、公衆網５０を経由した通信ルートＲＴ１３が確立される。
【０１０９】
また、図６において、通信端末装置１０Ｂが第３の実施例に係わる通信端末装置１０である時、発呼操作により、先頭の３桁が“＊ＸＸ”のダイヤル番号が入力され、公衆網５０に対して発呼がなされた場合（公衆網発呼の市内局番の場合）、該発呼側（通信端末装置１０Ｂ）と相手通信端末装置１０Ｃとの間に、公衆網５０を経由した通信ルートＲＴ１４が確立される。
【０１１０】
この場合（通信ルートＲＴ１３，ＲＴ１４を利用する、公衆網網発呼の市内局番の場合）、発呼側からの接続制御はダイヤル信号によりなされ、接続ポートには電話回線が、プロトコルとしてはＴ．３０（Ｇ４も可）がそれぞれ用いられる。これら通信ルートＲＴ１３，１４で経由する網は公衆網５０のみであり、通信料金は市内通話料金となる。
【０１１１】
なお、市内通話料金も固定料金契約ができる場合があり、この場合にはＩＰ網−公衆網Ｇａｔｅｗａｙ経由時の料金に比べて安価となる。従って、通信ルートＲＴ１３とＲＴ１２については、マシン管理者、カスタマーエンジニアなどが通信料金を良く吟味したうえで予め設定しておく必要がある。
【０１１２】
第４の実施例：
第４の実施例に係わる通信端末装置１０では、選択網設定情報記憶部１８５内に、少なくとも、例えば、図４（ｄ）に示すような網選択設定情報が記憶されている。
【０１１３】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の３桁が解析される。
【０１１４】
ここで、先頭の１桁が“０”で始まり、２，３桁目が“０”でない場合、すなわち当該３桁の値が“０＊＊”で市外通話を指示するものである場合、発呼網判別部１８３は、先頭の３桁が“０＊＊”という条件で、選択網設定情報記憶部１８５内の網選択設定情報〔図４（ｄ）参照〕を参照し、当該“０＊＊”に対応してＩＰ網４０に対して発呼するか、公衆網５０に対して発呼するかを決定する。
【０１１５】
本実施例において設定された網選択設定情報〔図４（ｄ）参照〕によれば、例えば、“０＊＊＝０４５”の場合には、ＩＰ網４０に発呼すると決定し、“０＊＊＝０１１”の場合には、公衆網５０に発呼すると決定する。
【０１１６】
ＩＰ網４０へ発呼すると決定した場合は、システム制御部１８からＩＰ網制御部２１に発呼開始を指示し、ＳＩＰ呼制御部２２を用いてＩＰ網４０に対して発呼する。
【０１１７】
また、公衆網５０へ発呼すると決定した場合、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【０１１８】
第５の実施例：
第５の実施例に係わる通信端末装置１０では、選択網設定情報記憶部１８５内に、少なくとも、例えば、図４（ｅ）に示すような網選択設定情報が記憶されている。
【０１１９】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の３桁が解析される。
【０１２０】
ここで、先頭の１桁が“０”で始まり、２，３桁目が“０”でない場合、すなわち当該３桁の値が“０＊＊”で市外通話を指示するものである場合、発呼網判別部１８３は、先頭の３桁が“０＊＊”という条件で、選択網設定情報記憶部１８５内の網選択設定情報〔図４（ｅ）参照〕を参照し、ＩＰ網４０に対して発呼すると決定する。
【０１２１】
この決定に従い、システム制御部１８からＩＰ網制御部２１に発呼開始を指示し、ＳＩＰ呼制御部２２を用いてＩＰ網４０に対して発呼する。
【０１２２】
図７は、上記第４及び第５の実施例に係わる通信端末装置１０が接続されるネットワークの構成図である。
【０１２３】
図７において、通信端末装置１０Ｄは、ＩＰ網４０及び公衆網５０に接続され、通信端末装置１０Ｅは公衆網５０のみに接続される。ＩＰ網４０と公衆網５０との間には、ＩＰ網−公衆網Ｇａｔｅｗａｙサービスが介在する。
【０１２４】
このネットワーク構成において、通信端末装置１０Ｄが第４の実施例に係わる通信端末装置１０である時、発呼操作により、先頭の３桁が“０＊＊”のダイヤル番号が入力され、かつこの時の“０＊＊”に対応してＩＰ網４０に対して発呼がなされた場合（ＩＰ網発呼の市外局番の場合）、該発呼側（通信端末装置１０Ｄ）と相手通信端末装置１０Ｅとの間に、ＩＰ網４０→公衆網Ｇａｔｅｗａｙサービス→公衆網５０を経由した通信ルートＲＴ２１が確立される。
【０１２５】
この場合、発呼側からの接続制御はＳＩＰ信号によりなされ、接続ポートにはＮｅｔ　Ｐｒｉｎｔｅｒが、プロトコルとしてはＴ．３８がそれぞれ用いられる。この通信ルートＲＴ２１で経由する網はＩＰ網４０→公衆網５０であり、通信料金はＩＰ網４０利用分の通信料金（常時接続の場合には固定料金となり、１通信毎に追加料金は不用）はかからないために、市内通話＋αとなる。
【０１２６】
また、図７において、通信端末装置１０Ｄが第４の実施例に係わる通信端末装置１０である時、発呼操作により、先頭の３桁が“０＊＊”のダイヤル番号が入力され、かつこの時の“０＊＊”に対応して公衆網５０に対して発呼がなされた場合（公衆網発呼の市外局番の場合）、該発呼側（通信端末装置１０Ｄ）と相手通信端末装置１０Ｅとの間に、公衆網５０を経由した通信ルートＲＴ２２が確立される。
【０１２７】
この場合、発呼側からの接続制御はダイヤル信号によりなされ、接続ポートには電話回線が、プロトコルとしてはＴ．３０（Ｇ４も可）がそれぞれ用いられる。この通信ルートＲＴ２２で経由する網は公衆網５０のみであり、通信料金は市外通話料金となる。
【０１２８】
また、図７において、通信端末装置１０Ｄが第５の実施例に係わる通信端末装置１０である時、発呼操作により、先頭の３桁が“０＊＊”のダイヤル番号が入力され、ＩＰ網４０に対して発呼がなされた場合（ＩＰ網発呼の市外局番の場合）、該発呼側（通信端末装置１０Ｄ）と相手通信端末装置１０Ｅとの間に、ＩＰ網４０→公衆網Ｇａｔｅｗａｙサービス→公衆網５０を経由した通信ルートＲＴ２３が確立される。
【０１２９】
この場合、発呼側からの接続制御はＳＩＰ信号によりなされ、接続ポートにはＮｅｔ　Ｐｒｉｎｔｅｒが、プロトコルとしてはＴ．３８がそれぞれ用いられる。この通信ルートＲＴ２３で経由する網は、通信ルートＲＴ２１時と同様、ＩＰ網４０→公衆網５０であり、通信料金は市内通話＋αとなる。
【０１３０】
なお、市内通話の契約によってはＩＰ網−公衆網Ｇａｔｅｗａｙ経由よりも安価となる可能性もあるので、通信ルートＲＴ２１とＲＴ２２については、マシン管理者、カスタマーエンジニアなどが通信料金を良く吟味したうえで予め設定しておく必要がある。
【０１３１】
第６の実施例：
第６の実施例に係わる通信端末装置１０では、選択網設定情報記憶部１８５内に、少なくとも、例えば、図４（ｆ）に示すような網選択設定情報が記憶されている。
【０１３２】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号が解析される。
【０１３３】
ここで、該ダイヤル番号が海外通話（国際通信）を指示するものである場合（例えば、先頭の４桁が“００ＸＸ”）、発呼網判別部１８３は、例えば、先頭の４桁が“００ＸＸ”という条件で、選択網設定情報記憶部１８５内の網選択設定情報〔図４（ｆ）参照〕を参照し、当該“００ＸＸ”に対応してＩＰ網４０に対して発呼するか、公衆網５０に対して発呼するかを決定する。
【０１３４】
本実施例において設定された網選択設定情報〔図４（ｆ）参照〕によれば、例えば、“００ＸＸ＝００１１”の場合には、ＩＰ網４０に発呼すると決定し、“００ＸＸ＝００２２”の場合には、公衆網５０に発呼すると決定する。
【０１３５】
ＩＰ網４０へ発呼すると決定した場合は、システム制御部１８からＩＰ網制御部２１に発呼開始を指示し、ＳＩＰ呼制御部２２を用いてＩＰ網４０に対して発呼する。
【０１３６】
また、公衆網５０へ発呼すると決定した場合、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【０１３７】
なお、本実施例の変形例としては、全ての国際通信は公衆網５０から送信（発呼）するように網選択設定情報を設定しても良い。
【０１３８】
第７の実施例：
第７の実施例に係わる通信端末装置１０では、選択網設定情報記憶部１８５内に、少なくとも、例えば、図４（ｇ）に示すような網選択設定情報が記憶されている。
【０１３９】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号が解析される。
【０１４０】
ここで、該ダイヤル番号が海外通話（国際通信）を指示し、かつ国指定番号を含む場合（例えば、「００ＸＸ＋“１”＋１２３＋４５６＋７８９０」なるダイヤル番号が入力された時の“１”）、発呼網判別部１８３は、その国指定番号を条件に、選択網設定情報記憶部１８５内の網選択設定情報〔図４（ｇ）参照〕を参照し、当該国指定番号に対応してＩＰ網４０に対して発呼するか、公衆網５０に対して発呼するかを決定する。
【０１４１】
本実施例において設定された網選択設定情報〔図４（ｇ）参照〕によれば、例えば、国指定番号が“１”の場合（米国の場合）には、ＩＰ網４０に発呼すると決定し、国指定番号が“７”の場合（ロシアの場合）には、公衆網５０に発呼すると決定する。
【０１４２】
ＩＰ網４０へ発呼すると決定した場合は、システム制御部１８からＩＰ網制御部２１に発呼開始を指示し、ＳＩＰ呼制御部２２を用いてＩＰ網４０に対して発呼する。
【０１４３】
また、公衆網５０へ発呼すると決定した場合、Ｇ３プロトコルであれば、システム制御部１８からＰＳＴＮ呼／網制御部２４またはＩＳＤＮ呼／網制御部２６に発呼開始を指示してＰＳＴＮまたはＩＳＤＮの各網に対して発呼し、Ｇ４プロトコルであれば、システム制御部１８からＩＳＤＮ呼／網制御部２６に発呼開始を指示してＩＳＤＮ網に対して発呼する。
【０１４４】
なお、本実施例の変形例としては、網選択設定情報として、ＩＰ網４０から発呼可能な国番号リストや、公衆網から発呼する国番号リストを設定しておき、発呼網判別部１８３が、入力されたダイヤル番号から当該リストを参照して発呼する網を判別するようにしても良い。この場合、上記リストは、マシン管理者や、カスタマーエンジニア等が選択網設定情報記憶部１８５に入力／設定する。
【０１４５】
図８は、上記第６及び第７の実施例に係わる通信端末装置１０が接続されるネットワークの構成図である。
【０１４６】
図８において、通信端末装置１０ＦはＩＰ網４０と公衆網５０に接続されている。また、通信端末装置１０Ｇは海外の公衆網６０のみに接続され、通信端末装置１０Ｈは海外の公衆網６１のみに接続されている。
【０１４７】
なお、ＩＰ網４０と海外の公衆網６０との間には、現地のＩＰ網−公衆網Ｇａｔｅｗａｙサービスが介在している。また、公衆網５０は、海外の公衆網６０及び６１と衛星通信あるいは海底ケーブルにより接続されている。
【０１４８】
このネットワーク構成において、通信端末装置１０Ｆが第６の実施例に係わる通信端末装置１０である時、発呼操作により、国際通信を指示する“００ＸＸ”を含むダイヤル番号が入力され、かつこの時の“００ＸＸ”に対応してＩＰ網４０に対して発呼がなされた場合、該発呼側（通信端末装置１０Ｆ）と相手通信端末装置１０Ｇとの間に、ＩＰ網４０→現地のＩＰ網−公衆網Ｇａｔｅｗａｙサービス→海外の公衆網６０を経由した通信ルートＲＴ３１が確立される。
【０１４９】
また、図８において、通信端末装置１０Ｆが第６の実施例に係わる通信端末装置１０である時、発呼操作により、国際通信を指示する“００ＸＸ”を含むダイヤル番号が入力され、かつこの時の“００ＸＸ”に対応して公衆網５０に対して発呼がなされた場合、該発呼側（通信端末装置１０Ｆ）と相手通信端末装置１０Ｇとの間に、公衆網５０→海外の公衆網６０を経由した通信ルートＲＴ３２が確立される。
【０１５０】
このように、第６の実施例では、ＩＰ網４０から現地のＩＰ網−公衆網Ｇａｔｅｗａｙサービスを経由して送信する通信ＲＴ３１と、公衆網５０から送信する通信ルートとがある。
【０１５１】
従って、第６の実施例は、海外へのＩＰ電話サービスが提供されていないＩＰ網に接続する場合に有効である。
【０１５２】
また、図８において、通信端末装置１０Ｆが第７の実施例に係わる通信端末装置１０である時、発呼操作により、国際通信を指示する“００ＸＸ”を含み、かつ国指定番号を含むダイヤル番号が入力され、この時の国指定番号に対応してＩＰ網４０に対して発呼がなされた場合、該発呼側（通信端末装置１０Ｆ）と相手通信端末装置１０Ｇとの間に、ＩＰ網４０→現地のＩＰ網−公衆網Ｇａｔｅｗａｙサービス→海外の公衆網６０を経由した通信ルートＲＴ３３が確立される。
【０１５３】
また、図８において、通信端末装置１０Ｆが第７の実施例に係わる通信端末装置１０である時、発呼操作により、国際通信を指示する“００ＸＸ”を含み、かつ国指定番号を含むダイヤル番号が入力され、この時の国指定番号に対応して公衆網５０に対して発呼がなされた場合、該発呼側（通信端末装置１０Ｆ）と相手通信端末装置１０Ｈとの間に、公衆網５０→海外の公衆網６１を経由した通信ルートＲＴ３４が確立される。
【０１５４】
このように、第７の実施例では、現地にＧａｔｅｗａｙサービスがある国に対してはＩＰ網４０から現地のＩＰ網−公衆網Ｇａｔｅｗａｙサービスを経由（通信ＲＴ３３）して送信し、現地にＧａｔｅｗａｙサービスがない国に対しては公衆網５０（通信ＲＴ３４）から送信する。
【０１５５】
従って、第７本実施例は、海外へのＩＰ電話サービスが限定した国のみに提供されているＩＰ網に接続する場合に有効である。
【０１５６】
第８の実施例：
第８の実施例は、公衆網発呼の際に先頭にプレフィックス番号（この例では、“０”）を付加して発信〔同、“０”発信〕するＰＢＸ（構内交換機）に接続される通信端末装置１０を前提としたものである。
【０１５７】
具体的には、例えば、図９に示したネットワーク（後で、詳述する）中、内線網７０内のＰＢＸ（図示せず）に接続される通信端末装置１０Ｉのような使い方を想定している。
【０１５８】
こうした使い方が想定される本実施例の通信端末装置１０に対しては、マシン管理者、カスタマーエンジニア等によって、予め接続回線をＰＢＸに設定すると共に、内線網７０を経由して外線に発呼する際に用いる特定情報（プレフィックス番号）も登録しておく必要がある。
【０１５９】
当該通信端末装置１０において、プレフィックス番号として“０”が登録されている場合、ユーザは、先頭に“０”を付加して相手端末の番号をダイヤル入力することで上記ＰＢＸ経由で外線に発呼できる。
【０１６０】
例えば、図９のネットワークにおいて、通信端末装置１０Ｉから通信端末装置１０Ｋへの発呼時には、内線網７０（ＰＢＸ）からはプレフィックス番号（通信端末装置１０Ｉで発呼時に入力されたもの）により公衆網５０に接続して発呼することで通信ルートＲＴ４０を確立して通信が行える。
【０１６１】
一方、先頭に“０”を付加せず、最初から内線番号だけをダイヤル入力することで内線網７０に対する内線発呼が行える。
【０１６２】
このようなネットワーク構成並びにそれ対応する発呼条件を前提としたうえで、本実施例に係わる通信端末装置１０では、相手通信端末装置に対してＩＰ網４０から発呼しようとした場合には、ＰＢＸ経由で外線（公衆網５０）に接続するためのプレフィックス番号を取り除いたうえで当該ＩＰ網４０に発呼する制御機能を有するものである。
【０１６３】
以下に、本実施例に係わる通信端末装置１０の発呼網選択制御動作の一例について説明する。
【０１６４】
本実施例に係わる通信端末装置１０では、選択網設定情報記憶部１８５内に、少なくとも、例えば、図４（ｈ）に示すような網選択設定情報が記憶されている。
【０１６５】
この通信端末装置１０において、ユーザにより、操作／表示部１２のテンキー等（短縮ダイヤルであっても良い）を用いて相手通信端末装置のダイヤル番号を入力し、次いでスタートボタンを押下する発呼操作がなされた場合、システム制御部１８の発呼先指定情報解析部１８１によって、当該発呼操作により入力されたダイヤル番号の先頭の１桁が解析される。
【０１６６】
ここで、先頭の１桁が“０”の場合、発呼網判別部１８３は、「先頭の１桁が“０”」という条件で、選択網設定情報記憶部１８５内の網選択設定情報〔図４（ｈ）参照〕を参照し、ＩＰ網４０に対して発呼すると決定する。
【０１６７】
この決定に従い、システム制御部１８からＩＰ網制御部２１に発呼開始を指示し、ＳＩＰ呼制御部２２を用いてＩＰ網４０に対して発呼する。その際、システム制御部１８は、入力ダイヤル番号の先頭の１桁の“０”が、公衆網発呼の際に付加するプレフィックス番号であると判断し、該プレフィックス番号“０”を取り除いてＩＰ網制御部２１に渡し、残りのダイヤル番号を用いてＩＰ網４０に発呼させる。
【０１６８】
例えば、「０−０３−３４５６−１２３４」なるダイヤル番号が入力された場合、先頭の“０”を取り除き、「０３−３４５６−１２３４」を用いてＩＰ網４０に対して発呼する。
【０１６９】
一方、発呼先指定情報解析部１８１での入力ダイヤル番号の解析の結果、先頭の１桁が“０”以外であった場合、発呼網判別部１８３は、「先頭の１桁が“０”以外」という条件で、選択網設定情報記憶部１８５内の網選択設定情報〔図４（ｈ）参照〕を参照し、この場合には内線発呼であると判断し、内線網７０内のＰＢＸに対して発呼すると決定する。
【０１７０】
この決定に従い、システム制御部１８からＰＳＴＮ呼／網制御部２４またはＩＳＤＮ呼／網制御部２６に発呼開始を指示し、内線網７０内のＰＢＸに対して発呼する。
【０１７１】
図９は、第８の実施例に係わる通信端末装置が接続されるネットワークの構成図である。
【０１７２】
図９において、通信端末装置１０Ｉは、ＩＰ網４０及び内線網７０に接続されている。また、通信端末装置１０Ｊは、ＩＰ網４０と公衆網５０に接続されている。また、通信端末装置１０Ｋは公衆網５０のみに接続され、通信端末装置１０Ｌは内線網７０のみに接続されている。
【０１７３】
なお、ＩＰ網４０と公衆網５０との間には、ＩＰ網−公衆網Ｇａｔｅｗａｙサービスが介在している。また、公衆網５０と内線網７０は通信ケーブルにより接続されている。
【０１７４】
このネットワーク構成において、通信端末装置１０Ｉが第８の実施例に係わる通信端末装置１０である時、発呼操作により、先頭の１桁が“０”のダイヤル番号が入力された場合（内線網以外の通信を指示している場合）には、この先頭の番号〔“０”＝プレフィックス番号〕を取り除いたうえでＩＰ網４０に対して発呼がなされ、該発呼側（通信端末装置１０Ｉ）と相手通信端末装置１０Ｋとの間に、ＩＰ網４０→ＩＰ網−公衆網Ｇａｔｅｗａｙサービス→公衆網５０を経由した通信ルートＲＴ４１が確立される。
【０１７５】
また、図９において、通信端末装置１０Ｉが第８の実施例に係わる通信端末装置１０である時、発呼操作により、先頭の１桁が“０”以外のダイヤル番号が入力された場合（内線網内の通信を指示している場合）には、内線網７０内のＰＢＸに対して発呼がなされ、該発呼側（通信端末装置１０Ｉ）と相手通信端末装置１０Ｌとの間に、内線網７０を経由した通信ルートＲＴ４２が確立される。
【０１７６】
このように、第８の実施例に係わる通信端末装置１０では、内線網内の場合にはＩＰ網４０から発呼しないようにする（通信ルートＲＴ４２参照）一方、内線網以外はＩＰ網４０から発呼し、その際には、内線網７０から公衆網５０に接続するためのプレフィックス番号（この例では、“０”）を取り除くものである。
【０１７７】
この制御によれば、ＰＢＸ接続時のプレフィックスを自動的に取り除いて発呼することで、ＩＰ網４０への発呼時における誤ダイヤルを防止できる。
【０１７８】
なお、本発明は、上記し、且つ図面に示す実施例に限定することなく、その要旨を変更しない範囲内で適宜変形して実施できるものである。
【０１７９】
例えば、上記実施例では、通信端末装置としてファクシミリ装置の例を挙げたが、本発明は、ＩＰ網及び公衆電話網に接続される電話装置等、ＳＩＰを使用した呼制御手順を備える通信端末装置全般に適用可能である。
【０１８０】
【発明の効果】
以上説明したように、本発明によれば、発呼先指定情報に応じてＩＰ網に対して発呼するか公衆電話網に対して発呼するかを予め記憶しておき、発呼時に入力される発呼先指定情報を解析し、該解析結果を用いて上記記憶を参照して該発呼をＩＰ網に対して行うか公衆電話網に対して行うかを自動判別するようにしたため、全てのユーザが、相手先による適切な網の選択を全く意識することなく、ＩＰ網または公衆電話網のうちの適切な網を選択して発呼できるようになり、不的確な網から発呼することによる通信コストの増大、並びに通信エラー発生を回避できる。
【図面の簡単な説明】
【図１】本発明に係る通信端末装置のシステム構成を示すブロック図。
【図２】本発明に係わる通信端末装置が接続されるネットワークの構成図。
【図３】本発明に係わる通信端末装置のシステム制御部の機能構成を示すブロック図。
【図４】選択網設定情報記憶部に対する選択網設定情報の設定例を示す図。
【図５】システム制御部における発呼網判別制御動作を示すフローチャート。
【図６】第１〜第３の実施例に係わる通信端末装置が接続されるネットワークの構成図。
【図７】第４と第５の実施例に係わる通信端末装置が接続されるネットワークの構成図。
【図８】第６と第７の実施例に係わる通信端末装置が接続されるネットワークの構成図。
【図９】第８の実施例に係わる通信端末装置が接続されるネットワークの構成図。
【符号の説明】
１０，１０−１，〜，１０−５，１０Ａ，〜，１０Ｌ…通信端末装置、１１…中央処理装置（ＣＰＵ）、１２…操作／表示部、１３…読取部、１４…記憶部、１５…画像処理部、１６…画像蓄積部、１７…ＲＡＭ（ランダム・アクセス・メモリ）、１８…システム制御部、１８１…発呼先指定情報解析部、１８３…発呼網判別部、１８５…選択網設定情報記憶部、１９…Ｔ．３７伝送制御部、２０…Ｔ．３８伝送制御部、２１…ＩＰ網制御部、２２…ＳＩＰ呼制御部、２３…Ｇ３ＦＡＸ伝送制御部、２４…ＰＳＴＮ呼／網制御部、２５…Ｇ４ＦＡＸ伝送制御部、２６…ＩＳＤＮ呼／網制御部、２７…システムバス、４０…ＩＰ（インターネット　プロトコル）網、５０…公衆電話網（公衆網）、６０，６１…海外の公衆網、７０…内線網
【図１】
2004112515.tif 000003
【図２】
2004112515.tif 000004
【図３】
2004112515.tif 000005
【図４】
2004112515.tif 000006
【図５】
2004112515.tif 000007
【図６】
2004112515.tif 000008
【図７】
2004112515.tif 000009
【図８】
2004112515.tif 000010
【図９】
2004112515.tif 000011